(57)【特許請求の範囲】
【請求項１】
車体の前部にバッテリーが収納され、車体の後部に運転席が成形されたリーチ式バッテリーフォークリフトであって、
バッテリーケースの運転席側に、前記バッテリーの液面に関する情報を表示する液面計が設けられ、
前記バッテリーと前記運転席との間には、開口部を有する隔壁が形成され、該隔壁における前記運転席側の表面とほぼ同一の面となるように前記液面計を前記開口部に進入させて前記液面計が前記運転席側へ露出するように構成され、
前記液面計の表示部は、前記バッテリーの液面に関する情報を表示するとともに、前記バッテリーにおけるバッテリー液の補水時期を表示する表示ランプを前記表示部と同じ面に備えていることを特徴とするリーチ式バッテリーフォークリフト。
【請求項２】
請求項１に記載したリーチ式バッテリーフォークリフトであって、
前記表示ランプは、前記バッテリーにおけるバッテリー液の液面が所定のレベル以上であるか否かで表示色を変えるように構成されていることを特徴とするリーチ式バッテリーフォークリフト。
【発明の詳細な説明】
【０００１】
【発明の属する技術分野】
本発明は、リーチ式バッテリーフォークリフトにおいて、バッテリーの液面に関する情報を表示する技術に関する。
【０００２】
【従来の技術】
従来のリーチ式バッテリーフォークリフトは、例えば図４に示すように構成されている。ここで、図４は従来のリーチ式バッテリーフォークリフトの概略斜視図である。なお、図４において、図中の矢印ＦＲは車体前方を示し、矢印ＵＰは車体上方を示している。
【０００３】
図４に示すリーチ式バッテリーフォークリフト１０１は、車体１０２の前面下部から前方に延びる左右一対のリーチレッグ１０３を有している。左右のマスト１０４はその下端部がリーチレッグ１０３に沿って移動可能なマストキャリッジに結合され、リーチシリンダによって前後移動、すなわちリーチ動作されるように構成されている。また、車体１０２の前面部には、バッテリー収納部１０５が形成され、このバッテリー収納部１０５にバッテリー１１０が収納されている。
バッテリー１１０は、図示しない多数のバッテリーセルと、そのバッテリーセルを収納するバッテリーケース１１１とによって構成されている。バッテリーケース１１１には液面を表示する液面計１２０が設けられ、この液面計１２０は車体１０２のマスト１０４側に露出している。従って、作業者はバッテリー１１０の液面計１２０を車体１０２のマスト１０４側から確認することができる。そして、作業者は、液面計１２０の表示を確認することでバッテリー液の補水が必要か否かを判断し、バッテリー液の補水が必要な場合には補水作業を行う。
【０００４】
【発明が解決しようとする課題】
しかしながら、上記のような構成のリーチ式バッテリーフォークリフト１０１において、バッテリー１１０の液面計１２０はマスト１０４側に設けられているため、作業者は運転席側から液面計１２０を確認することができない。従って、バッテリー１１０の液面が低下しているにも関わらず作業者はこれを見落とすことがある。このような場合には、バッテリー１１０内のバッテリー液が少なくなることでバッテリー１１０の寿命が短くなるという問題があった。
【０００５】
そこで、本発明は、以上のような点に鑑みてなされたものであり、その目的とするところは、リーチ式バッテリーフォークリフトにおいて、バッテリーの液面に関する情報の見落としを極力防止することができる技術を提供することである。
【０００６】
【課題を解決するための手段】
前記課題を解決するために、本発明のリーチ式バッテリーフォークリフトは、請求項１，２に記載の通りに構成されている。
【０００７】
請求項１に記載のリーチ式バッテリーフォークリフトによれば、バッテリーの液面に関する情報を表示する液面計は、バッテリーケースの運転席側に設けられるとともに、バッテリーと運転席との間に形成された隔壁における運転席側の表面とほぼ同一の面となるように開口部に進入させて運転席側へ露出するように構成されている。また、液面計の表示部と同じ面には表示ランプが備えられる。これにより、隔壁に開口部を設けた簡単な構成によって、例えば運転席側から乗降する作業者は、運転席側から液面計を認識することができる。さらに液面計は、例えば運転席側から乗降する作業者に認識され易いので、バッテリーの液面に関する情報、液面レベルの見落としを極力防止することができる。表示ランプはバッテリー液の補水時期を表示するので、例えば補水時期になると点灯するように構成することにより、作業者はバッテリー液の補水時期か否かを容易に判断することができる。
【０００８】
また、請求項２に記載のリーチ式バッテリーフォークリフトによれば、表示ランプはバッテリー液の液面が所定のレベル以上であるか否かで表示色を変えて表示するので、作業者は表示色を一目見るだけで補水時期か否かが分かる。
【０００９】
【発明の実施の形態】
以下に、本発明における一実施の形態のリーチ式バッテリーフォークリフトについて図面を参照しながら説明する。ここで、図１は本発明における一実施の形態のリーチ式バッテリーフォークリフトの概略斜視図である。また、図２は、図１の部分断面図である。また、図３は、バッテリーの液面計の表示部の構成を示す図である。なお、図１において、図中の矢印ＦＲは車体前方を示し、矢印ＵＰは車体上方を示している。
【００１０】
図１に示すように、リーチ式バッテリーフォークリフト１は、車体２の前面下部から前方に延びる左右一対のリーチレッグ３を有している。左右のマスト４はその下端部がリーチレッグ３に沿って移動可能なマストキャリッジに結合され、リーチシリンダによって前後移動、すなわちリーチ動作されるように構成されている。また、車体２の前面部には、側面視が略コ字形のバッテリー収納部５が形成され、このバッテリー収納部５にバッテリー１０が収納されている。
【００１１】
バッテリー１０は、図示しない多数のバッテリーセルと、そのバッテリーセルを収納するための横長の箱形に形成される鉄板製のバッテリーケース１１とによって成立している。そして、バッテリーケース１１には、バッテリー１０をバッテリー収納部５に固定するための必要な機能部品のほか、前出し用の機能部品、すなわちバッテリー収納部５から車体前方へ引き出し、かつ押し込むために必要な機能部品が直接的に設けられている。
【００１２】
図２に示すように、バッテリーケース１１の運転席７側には、バッテリー１０の液面に関する情報を表示する表示部２０ａを有する液面計２０が設けられている。また、車体２の運転席７側の隔壁２ａには、液面計２０の表示部２０ａに対応する位置に開口部２ｂが形成されている。図示するように、液面計２０の表示部２０ａが隔壁２ａにおける運転席７側の表面とほぼ同一の面となるように、液面計２０を開口部２ｂに進入させている。従って、バッテリーケース１１に設けられた液面計２０の表示部２０ａは、隔壁２ａの開口部２ｂから運転席７側へ露出するように構成されている。
【００１３】
また、図３に示すように、液面計２０の表示部２０ａと同じ面には表示ランプ２１が設けられている。液面計２０は、多数のバッテリーセルの全部または一部の液面を電気的に検出し、その検出結果に基づいてバッテリー液の補水時期に関する指標を表示するように構成されている。すなわち、本実施の形態では、表示ランプ２１は、例えば、バッテリー１０の液面が所定のレベル以上である場合には青色表示され、所定のレベルよりも低くなると赤色表示（点灯や点滅）されるように構成されている。これにより、作業者は、表示ランプ２１の表示状態に応じてバッテリー液の補水時期か否かを認識することができる。そして、作業者は、表示ランプ２１が赤色表示されていることを認識した際には、バッテリーケース１１をバッテリー収納部５から車体前方へ引き出し、バッテリー１０の各バッテリーセルへのバッテリー液の補水作業を行う。
【００１４】
以上のように構成した本実施の形態のリーチ式バッテリーフォークリフト１によれば、液面計２０の表示部２０ａが車体２の運転席７側に設けられているため、例えば運転席７側から乗降する作業者は、バッテリー１０の液面に関する情報の見落としを極力防止することができる。これにより、バッテリー１０内のバッテリー液が少なくなることでバッテリー１０の寿命が短くなるという問題を回避することができる。
また、液面計２０の表示ランプ２１によって、バッテリー１０のバッテリー液の補水時期か否かを表示することができるため、作業者はバッテリー液の補水時期か否かを容易に判断することができる。
また、液面計２０の表示部２０ａは、車体２の運転席７側の隔壁２ａに形成された開口部２ｂから露出するため、隔壁２ａに開口部２ｂを設けた簡単な構成によって、例えば運転席７側から乗降する作業者は、運転席７側から液面計２０の表示部２０ａを確認することができる。
【００１５】
なお、本発明は上記実施の形態のみに限定されるものではなく、種々の応用や変形が考えられる。例えば、上記実施の形態を応用した次の各形態を実施することもできる。
【００１６】
（Ａ）上記実施の形態では、液面計２０の表示ランプ２１によって、バッテリー１０におけるバッテリー液の補水時期か否かを表示する場合について記載したが、液面計２０の構成はこれに限定されず、必要に応じて種々変更可能である。例えば、バッテリー液の補水時期（補水日）を直接表示するように構成することもできる。
また、液面計２０は、本実施の形態のように補水時期に関する指標を表示する以外に、バッテリー１０の液面レベルを表示する構成や、バッテリー１０の液面を作業者が直接視認することができる直読式であってもよい。
【００１７】
【発明の効果】
以上説明したように、本発明によれば、リーチ式バッテリーフォークリフトにおいて、バッテリーの液面に関する情報の見落としを極力防止することができる技術を実現することができる。
【図面の簡単な説明】
【図１】  本発明における一実施の形態のリーチ式バッテリーフォークリフトの概略斜視図である。
【図２】  図１の部分断面図である。
【図３】  バッテリーの液面計の構成を示す図である。
【図４】  従来のリーチ式バッテリーフォークリフトの概略斜視図である。
【符号の説明】
１…リーチ式バッテリーフォークリフト
２…車体、２ａ…隔壁、２ｂ…開口部
３…リーチレッグ
４…マスト
７…運転席
１０…バッテリー
１１…バッテリーケース
２０…液面計、２０ａ…表示部
２１…表示ランプ
【図１】
0003838000.tif 000002
【図２】
0003838000.tif 000003
【図３】
0003838000.tif 000004
【図４】
0003838000.tif 000005